(57)【要約】【課題】土壌中での分解速度が速く、放置しておいても容易に分解し自然環境に悪影響がない上に、強度的にも優れゴルフボールの打ち出し前に破壊されることがなく、数回の使用にも耐えるゴルフティーを提供すること。【解決手段】生分解性樹脂とふすまとを含有する組成物で作成されたゴルフティー。【選択図】        なし【特許請求の範囲】
【請求項１】
生分解性樹脂とふすまとを含有する組成物で作成されたゴルフティー。  
【請求項２】
組成物中のふすまの含有量が１０〜６０質量％であることを特徴とする請求項１記載のゴルフティー。
【発明の詳細な説明】
【技術分野】
【０００１】
本発明は、ゴルフティーに関し、さらに詳しくは土壌中で容易に分解し自然環境に悪影響を及ぼすことがないゴルフティーに関するするものである。
【背景技術】
【０００２】
現在、ゴルフティーとしてはプラスチック製や木製のゴルフティーが用いられているが、プラスチック製ティーは、ポリエチレンなどのプラスチックスを射出成形して作成され、また、木製ティーは木材を削って作成されるが、そのいずれも自然界に放置した場合、分解不可能または分解が非常に遅く使用されたゴルフティーがそのまま長期にわたりゴルフ場に散乱しゴルファーの靴に突き刺さり足に怪我をさせる虞があったり、芝刈り機の刃を傷めるなどの不具合がある上に、プラスチック製ゴルフティーに含まれる配合剤が溶け出し自然環境に悪影響を及ぼすなどの欠点があった。そのため、ゴルフ場では整備員などを使用し回収し、廃棄するのが一般である。
【０００３】
上記プラスチック製や木製のゴルフティーの欠点を解消するため穀物の外皮から採られた粉末と、隙間を埋めるカルシユウ炭酸塩の充填剤と、ポリビニルアルコール結合剤を含む組成物からなるゴルフティーが特許文献１が、また、ゼラチン、ポリメタクリル酸エステルにヌカ、ハトムギ、トウモロコシなどを混合した組成物からなるゴルティーが引用文献２などで提案されている。
【０００４】
しかしながら、上記提案のゴルフティーは、使用するポリビニルアルコール結合剤やポリメタクリル酸エステルなどがそのまま残る上に、該プラスチックに配合して添加剤から自然環境に悪影響を及ぼす物質が流れ出しゴルフ場を汚染することが起こる上に、ゴルフティーの強度が十分でなく、ゴルフボールを打ち出す前にゴルフティーが破壊されるなどの不具合があった。
【特許文献１】特開平２０００−１５７６５４号公報
【特許文献２】特開平６−２２５９５０号公報
【発明の開示】
【発明が解決しようとする課題】
【０００５】
こうした現状に鑑み、本発明者らは、鋭意い研究を続けた結果、生分解性樹脂にふすまを配合した組成物でゴルフティーを作成することで、土壌中での自然分解が容易でゴルフ場に放置しておいてもすぐに分解し、回収・廃棄の必要がなく、しかも強度的にも優れ、ゴルフボールの打ち出し前に破壊されることがなく数回の使用に耐えるゴルフティーが得られることを見出して、本発明を完成したものである。すなわち、
【０００６】
本発明は、土壌中での分解速度が速く、放置しておいても容易に分解し自然環境に悪影響がない上に、強度的にも優れゴルフボールの打ち出し前に破壊されることがなく、数回の使用にも耐えるゴルフティーを提供することを目的とする。
【課題を解決するための手段】
【０００７】
上記目的を達成する本発明は、生分解性樹脂とふすまとを含有する組成物で作成されたゴルフティーに係る。
【０００８】
上記生分解性樹脂としては、ポリ乳酸、乳酸単位が６０モル％以上の乳酸と他のヒドロキシカルボン酸との共重合体、乳酸単位が６０モル％以上の乳酸、脂肪族多価カルボン酸及び脂肪族グリコールからなる脂肪族ポリエステル共重合体などのポリ乳酸系樹脂、脂肪族ポリエステル樹脂などが挙げられる。前記ポリ乳酸としては、具体的にＬ−乳酸、Ｄ−乳酸、あるいはＬ−乳酸とＤ−乳酸の混合物を脱水縮合した樹脂が挙げられ、特に物性、耐熱性が要求される場合にはＬ体が８５モル％、好ましくは９５モル％のポリ乳酸がよい。前記ポリ乳酸は、乳酸の環状二量体であるラクチドを開環重合するなどの方法で製造され、その数平均分子量は２０，０００〜１，０００，０００、好ましくは５０，  ０００〜５００、０００の範囲がよく、数平均分子量が２０，０００未満では、実用的な水分散液が得られず、また、１，０００，０００を超えると塗布性が悪く好ましくない。
【０００９】
乳酸と共重合する他のヒドロキシカルボン酸としては、例えばグリコール酸、ジメチルグリコール酸、２−ヒドロキシ酪酸、３−ヒドロキシ酪酸、４−ヒドロキシ酪酸、２−ヒドロキシプロパン酸、３−ヒドロキシプロパン酸、２−ヒドロキシ吉草酸、３−ヒドロキシ吉草酸、４−ヒドロキシ吉草酸、５−ヒドロキシ吉草酸、２−ヒドロキシカプロン酸、３−ヒドロキシカプロン酸、４−ヒドロキシカプロン酸等が挙げられる。
【００１０】
脂肪族ポリエステル共重合体を形成する脂肪族多価カルボン酸としては、例えばマロン酸、コハク酸、グルタル酸、アジピン酸、ピメリン酸、アゼライン酸及びこれらの無水物などが、また脂肪族グリコールとしては、例えばエチレングリコール、ジエチレングリコール、１，２−プロパンジオール、１，３−プロパンジオール、１，３−ブタンジオール、１，４−ブタンジオール、１，５−ペンチルジオール、１．６−ペンチルジオール、１，６−ヘキサンジオール、ネオペンチルグリコール、テトラメチレングリコールなどが挙げられる。
【００１１】
脂肪族ポリエステル樹脂としては、ポリラクチドなどのポリ（α−ヒドロキシカルボン酸）、ポリ−ε−カプトラクトン、ポリエチレンサクシネート、ポリブチレンサクシネート、ポリ−β−プロピオラクトンなどが挙げられる。前記生分解性樹脂は単独でも二種以上混合して使用してよいが、外側層を形成するふすま混合樹脂層には、前記生分解性樹脂と同じ樹脂を混合することを必須とする。
【００１２】
また、ふすまとは、小麦を製粉する時得られる小麦粉以外の部分をいい、胚乳８０〜８５質量％、表皮１２〜１８質量％、胚２〜３質量％からなる産業廃棄物をいう。このふすまの含有量は、１０〜６０質量％の範囲がよく、ふすまの含有量が６０質量％を超えると強度が低くゴルフティーとしての機能が十分に発揮できない。その一方、ふすまの含有量が１０質量％未満では土壌中における分解が遅く回収し破棄する必要が生じて好ましくない。
【００１３】
本発明のゴルフティーは、生分解性樹脂とふすまとを含有するマスターバッチを作成し、それを射出成形など公知の成形法で成形して製造される。
【発明の効果】
【００１４】
本発明のゴルフティーは、土壌中での分解速度が速く、放置しておいても容易に分解し自然環境に悪影響がない上に、強度的にも優れゴルフボールの打ち出し前に破壊されることがなく、数回の使用にも耐えるゴルフティーである。
【発明を実施するための最良の形態】
【００１５】
本発明をさらに実施例に基づいて詳述するが、本発明はこれに限定されるものではない。
【実施例１】
【００１６】
ポリブチレンサクシネート（昭和高分子製、ＢＩＯＮＯＬＬ  、＃１００１  ）（以下ＰＢＳ  という）４０質量部にふすま６０質量部を混合し加圧型ニーダーに投入してふすまマスターバッチを得た。前記マスターバッチを射出成型法でゴルフティーに作成した。得られたゴルフティーの空気中での引張強度は１９．１／ＭＰａでーあり、また、曲げ強度は、４／ＭＰａと木製ゴルフティー並みの強度を有していた。前記ゴルフティー、ＰＢＳ単体で作成したゴルフティーの土壌中に埋設したときの曲げ強度の変化及び重量変化を図１、２に示す。さらに、前記ふすまを含有するゴルフティーの土壌中での試験後の経過日数当りの分解状態を図３に示す。
比較例１  
【００１７】
実施例１において、ふすまの代わりにでんぷんを用いた以外、実施例１と同様にして、ゴルフティーを作成し、その曲げ強度の変化及び重量変化を同じく図１、２に示す。
【００１８】
上記図１、２にみるように本発明のゴルフティーは、同じＰＢＳを用いるが配合剤がでんぷんであるゴルフティーに比較してその強度及び重量変化が大きく容易に土壌中で分解するのがわかる。特に強度の劣化が著しい。このゴルフティーの土壌中での分解状態を観察したところ、図３にみるように数日間で顕著な分解が起こり、約６０日でゴルフティーの８０％程度が分解し消失する。
【産業上の利用可能性】
【００１９】
本発明のゴルフティーは、土壌中で容易に分解し回収、廃棄の必要がない上に、環境に悪影響を及ぼす物質の流失でゴルフ場またはその近隣をオセンスルことがなく、しかも数回の使用に耐え環境に優しいゴルフティーとして有用である。  
【図面の簡単な説明】
【００２０】
【図１】ふすま、でんぷんを含有する組成物、または前記成分を含まない組成物で得られたゴルフティーの土壌中に埋設後の曲げ強度変化を示す。
【図２】ふすま、でんぷんを含有する組成物、または前記成分を含まない組成物で得られたゴルフティーの土壌中に埋設後の重量変化を示す。
【図３】６０ｗｔ％のふすまを含有する本発明のゴルフティーの土壌中に埋設したときの経過日数当りの分解状態を示す。
【図１】
2005329011.tif 000002
【図２】
2005329011.tif 000003
【図３】
2005329011.tif 000004